(57)【要約】【課題】携帯機器本体が大型化するのを抑制しながら、携帯機器本体に対するアンテナモジュールの配置の自由度を向上させて良好な通信特性を得ることが可能な携帯機器を提供する。【解決手段】この携帯電話（携帯機器）１００は、携帯機器本体１に装着可能に設けられ、複数の無線通信規格に対応する複数のアンテナモジュール２から選択される１つの選択アンテナモジュール２１と、携帯機器本体１に装着可能に設けられ、複数の無線通信規格に対応する複数の回路モジュール３から選択される１つの選択回路モジュール３１と、本体側制御部１８とを備え、本体側制御部１８は、選択アンテナモジュール２１および選択回路モジュール３１が適合するか否かを判定するとともに、適合しない場合には無線通信が不可能になるように制御し、適合する場合には無線通信が可能になるように制御する。【選択図】図２
2011029944.tif 000002
【特許請求の範囲】
【請求項１】
携帯機器本体と、
前記携帯機器本体に装着可能に設けられ、複数の無線通信規格に対応する複数のアンテナモジュールから選択される１つの選択アンテナモジュールと、
前記携帯機器本体に装着可能に設けられ、複数の無線通信規格に対応する複数の回路モジュールから選択される１つの選択回路モジュールと、
前記選択アンテナモジュールおよび前記選択回路モジュールが無線通信規格において適合する組み合わせであるか否かを判定する制御部とを備え、
前記制御部は、前記選択アンテナモジュールと前記選択回路モジュールとが適合しないと判定した場合には、前記選択アンテナモジュールおよび前記選択回路モジュールによる無線通信が不可能になるように制御するとともに、前記選択アンテナモジュールと前記選択回路モジュールとが適合すると判定した場合には、前記選択アンテナモジュールおよび前記選択回路モジュールに対応する無線通信規格の無線通信が可能になるように制御するように構成されている、携帯機器。
【請求項２】
前記制御部は、前記選択アンテナモジュールおよび前記選択回路モジュールが適合するか否かを判定するための情報または特性を少なくとも前記選択アンテナモジュールから取得し、取得された前記情報または特性に基づいて、前記選択アンテナモジュールおよび前記選択回路モジュールが適合するか否かを判定するように構成されている、請求項１に記載の携帯機器。
【請求項３】
前記制御部は、前記選択アンテナモジュールに固有に設けられた第１識別情報を取得し、取得された前記第１識別情報に基づいて、前記選択アンテナモジュールおよび前記選択回路モジュールが適合するか否かを判定するように構成されている、請求項２に記載の携帯機器。
【請求項４】
前記制御部は、前記携帯機器本体に設けられた本体側制御部を含み、
前記本体側制御部は、前記選択アンテナモジュールの前記第１識別情報と前記選択回路モジュールに固有に設けられた第２識別情報とを取得し、取得された前記第１識別情報および前記第２識別情報に基づいて、前記選択アンテナモジュールおよび前記選択回路モジュールが適合するか否かを判定するとともに、前記選択アンテナモジュールと前記選択回路モジュールとが適合しない場合には前記携帯機器本体による無線通信を停止するように制御することによって無線通信を不可能にし、前記選択アンテナモジュールと前記選択回路モジュールとが適合する場合には無線通信を可能にするように構成されている、請求項３に記載の携帯機器。
【請求項５】
前記選択アンテナモジュールおよび前記選択回路モジュールは、それぞれ、前記第１識別情報を記憶する第１記憶部および前記第２識別情報を記憶する第２記憶部を含み、
前記本体側制御部は、前記第１記憶部および前記第２記憶部からそれぞれ前記第１識別情報および前記第２識別情報を読み出すことによって前記第１識別情報および前記第２識別情報を取得するように構成されている、請求項４に記載の携帯機器。
【請求項６】
前記選択アンテナモジュールは、前記第１識別情報に対応するように配置された第１導体端子または第１凹凸部を有し、
前記選択回路モジュールは、前記第２識別情報に対応するように配置された第２導体端子または第２凹凸部を有し、
前記本体側制御部は、前記第１導体端子の配置または前記第１凹凸部の配置に基づいて前記選択アンテナモジュールの前記第１識別情報を取得するとともに、前記第２導体端子の配置または前記第２凹凸部の配置に基づいて前記選択回路モジュールの前記第２識別情報を取得するように構成されている、請求項４に記載の携帯機器。
【請求項７】
前記制御部は、前記選択回路モジュールに設けられた回路側制御部を含み、
前記回路側制御部は、前記選択アンテナモジュールと前記選択回路モジュールとが適合しない場合には前記携帯機器本体による無線通信を停止するように制御することによって無線通信を不可能にし、前記選択アンテナモジュールと前記選択回路モジュールとが適合する場合には無線通信を可能にするように構成されている、請求項３に記載の携帯機器。
【請求項８】
前記選択アンテナモジュールは、前記第１識別情報を記憶する第１記憶部を含み、
前記回路側制御部は、前記第１記憶部から前記第１識別情報を読み出すことによって前記第１識別情報を取得するように構成されている、請求項７に記載の携帯機器。
【請求項９】
前記選択アンテナモジュールは、前記第１識別情報に対応するように配置された第１導体端子または第１凹凸部を有し、
前記回路側制御部は、前記第１導体端子の配置または前記第１凹凸部の配置に基づいて、前記選択アンテナモジュールの前記第１識別情報を取得するように構成されている、請求項７に記載の携帯機器。
【請求項１０】
前記制御部は、前記選択回路モジュールから前記選択アンテナモジュールに伝達される信号波の前記選択アンテナモジュールからの反射波の大きさに関する前記特性に基づいて、前記選択アンテナモジュールおよび前記選択回路モジュールが適合するか否かを判定するように構成されている、請求項２に記載の携帯機器。
【請求項１１】
前記選択アンテナモジュールおよび前記選択回路モジュールの少なくとも一方の前記携帯機器本体への装着を解除する装着解除部をさらに備え、
前記制御部は、前記選択アンテナモジュールと前記選択回路モジュールとが適合しない場合に、前記選択アンテナモジュールおよび前記選択回路モジュールの少なくとも一方の前記携帯機器本体への装着を解除するように前記装着解除部を制御するように構成されている、請求項１〜１０のいずれか１項に記載の携帯機器。
【請求項１２】
前記制御部により前記選択アンテナモジュールと前記選択回路モジュールとが適合しないと判定された場合に、前記選択アンテナモジュールと前記選択回路モジュールとが適合しない組み合わせであることを通知する通知部をさらに備える、請求項１〜１１のいずれか１項に記載の携帯機器。
【請求項１３】
携帯機器本体に装着可能に設けられ、複数の無線通信規格に対応する複数のアンテナモジュールから選択される１つの選択アンテナモジュールと、
前記携帯機器本体に装着可能に設けられ、複数の無線通信規格に対応する複数の回路モジュールから選択される１つの選択回路モジュールとを備え、
前記選択回路モジュールは、前記選択アンテナモジュールおよび前記選択回路モジュールが無線通信規格において適合する組み合わせであるか否かを判定するとともに、前記選択アンテナモジュールと前記選択回路モジュールとが適合しないと判定した場合には、前記選択アンテナモジュールおよび前記選択回路モジュールによる無線通信が不可能になるように制御し、前記選択アンテナモジュールと前記選択回路モジュールとが適合すると判定した場合には、前記選択アンテナモジュールおよび前記選択回路モジュールに対応する無線通信規格の無線通信が可能になるように制御する回路側制御部を含む、携帯機器の無線通信部。
【発明の詳細な説明】
【技術分野】
【０００１】
この発明は、携帯機器および携帯機器の無線通信部に関し、特に、複数の無線通信規格に対応可能な携帯機器および携帯機器の無線通信部に関する。
【背景技術】
【０００２】
従来、複数の無線通信規格に対応可能な携帯機器が知られている（たとえば、特許文献１参照）。
【０００３】
上記特許文献１には、通信機器本体と、無線通信の制御を行う無線通信制御手段およびアンテナを含み、通信機器本体に着脱可能に構成された通信モジュールとを備えた携帯型通信機器が開示されている。この携帯型通信機器では、異なる通信規格に対応する複数の通信モジュールから所望の通信規格に対応する通信モジュールを選択して通信機器本体に装着することによって、所望の通信規格の無線通信を行う。
【０００４】
しかしながら、上記特許文献１の携帯型通信機器では、通信モジュールに無線通信制御手段およびアンテナの両方が含まれているので、通信機器本体に装着するモジュールが大型化してしまう。このため、通信機器本体に通信モジュールを装着する場合に、配置の自由度が低下するので、通信モジュール内のアンテナを通信機器本体の適切な位置に配置するのが困難である。このため、良好な通信特性を得ることが困難である。
【０００５】
そこで、従来、携帯機器本体に対するアンテナの配置の自由度を向上させて良好な通信特性を得ることが可能な携帯機器が知られている（たとえば、特許文献２参照）。
【０００６】
上記特許文献２には、アンテナモジュールと、アンテナモジュール受入部を含む携帯電話機本体とを備え、アンテナモジュールが携帯電話機本体に着脱可能に構成された携帯電話機が開示されている。この携帯電話機では、異なる通信規格に対応する複数のアンテナモジュールから所望の通信規格に対応するアンテナモジュールを選択して携帯電話機本体に装着することによって、所望の通信規格の無線通信を行う。これにより、マッチング回路（回路モジュール）とアンテナモジュールとが一体の場合に比べて、装着するモジュール（アンテナモジュール）が小型になるので、携帯電話機本体に対するアンテナモジュールの配置の自由度が向上する。このため、良好な通信特性を得ることが可能となる。また、特許文献２による携帯電話機本体には、複数のアンテナモジュールに対応するために予め複数のマッチング回路（回路モジュール）が搭載されている。
【先行技術文献】
【特許文献】
【０００７】
【特許文献１】特許第４０５９６０５号公報
【特許文献２】特開２００８−９２２７３号公報
【発明の概要】
【発明が解決しようとする課題】
【０００８】
しかしながら、上記特許文献２の携帯電話機では、複数のアンテナモジュールに対応するために複数のマッチング回路（回路モジュール）を予め携帯電話機本体に搭載するので、その分、携帯電話機本体が大型化してしまうという問題点がある。
【０００９】
この発明は、上記のような課題を解決するためになされたものであり、この発明の１つの目的は、携帯機器本体が大型化するのを抑制しながら、携帯機器本体に対するアンテナモジュールの配置の自由度を向上させて良好な通信特性を得ることが可能な携帯機器および携帯機器の無線通信部を提供することである。
【課題を解決するための手段および発明の効果】
【００１０】
この発明の第１の局面による携帯機器は、携帯機器本体と、携帯機器本体に装着可能に設けられ、複数の無線通信規格に対応する複数のアンテナモジュールから選択される１つの選択アンテナモジュールと、携帯機器本体に装着可能に設けられ、複数の無線通信規格に対応する複数の回路モジュールから選択される１つの選択回路モジュールと、選択アンテナモジュールおよび選択回路モジュールが無線通信規格において適合する組み合わせであるか否かを判定する制御部とを備え、制御部は、選択アンテナモジュールと選択回路モジュールとが適合しないと判定した場合には、選択アンテナモジュールおよび選択回路モジュールによる無線通信が不可能になるように制御するとともに、選択アンテナモジュールと選択回路モジュールとが適合すると判定した場合には、選択アンテナモジュールおよび選択回路モジュールに対応する無線通信規格の無線通信が可能になるように制御するように構成されている。なお、本明細書において「無線通信規格」とは、ＧＳＭ、２Ｇ、３Ｇ、ＷｉＭＡＸおよびＰＨＳなどの無線方式のみならず、無線通信に用いられる周波数を含む広い概念である。
【００１１】
この発明の第１の局面による携帯機器では、上記のように、携帯機器本体に装着可能に設けられ、複数の無線通信規格に対応する複数のアンテナモジュールから選択される１つの選択アンテナモジュールと、携帯機器本体に装着可能に設けられ、複数の無線通信規格に対応する複数の回路モジュールから選択される１つの選択回路モジュールとを備えるように構成することによって、選択回路モジュールと選択アンテナモジュールとが一体の場合に比べて、携帯機器本体に装着するアンテナを含むモジュールが小型になるので、携帯機器本体に対するアンテナモジュールの配置の自由度を向上させることができる。これにより、アンテナモジュールを受信感度が良好な位置に配置し易くなるので、良好な通信特性を得ることができる。また、選択アンテナモジュールに適合する選択回路モジュールが複数の回路モジュールから選択的に携帯機器本体に装着されるように構成することによって、複数のアンテナモジュールに対応する複数の回路モジュールを予め携帯機器本体に搭載しておく必要がない。これにより、携帯機器本体が大型化するのを抑制することができる。したがって、この第１の局面による携帯機器では、携帯機器本体が大型化するのを抑制しながら、携帯機器本体に対するアンテナモジュールの配置の自由度を向上させて良好な通信特性を得ることができる。さらに、選択アンテナモジュールおよび選択回路モジュールが無線通信規格において適合する組み合わせであるか否かを判定する制御部を設け、選択アンテナモジュールと選択回路モジュールとが適合しないと判定した場合には、選択アンテナモジュールおよび選択回路モジュールによる無線通信が不可能になるように制御するとともに、選択アンテナモジュールと選択回路モジュールとが適合すると判定した場合には、選択アンテナモジュールおよび選択回路モジュールに対応する無線通信規格の無線通信が可能になるように制御するように制御部を構成することによって、アンテナモジュールと回路モジュールとを分離してそれぞれを携帯機器本体に装着可能にした場合にも、制御部により、適合しない組み合わせの選択アンテナモジュールと選択回路モジュールとによって無線通信が行われるのを防止することができる。これにより、法規制違反になったり、選択アンテナモジュールと選択回路モジュールとが適合しないことに起因して通信に不具合が生じたりする（たとえば、所定の通信性能を満たさなくなったり、適合しない選択アンテナモジュールからの反射波に起因する選択回路モジュールの損傷が生じたりする）のを防止することができる。
【００１２】
上記第１の局面による携帯機器において、好ましくは、制御部は、選択アンテナモジュールおよび選択回路モジュールが適合するか否かを判定するための情報または特性を少なくとも選択アンテナモジュールから取得し、取得された情報または特性に基づいて、選択アンテナモジュールおよび選択回路モジュールが適合するか否かを判定するように構成されている。このように構成すれば、制御部により、適合するか否かを判定するための情報または特性を用いて容易に選択アンテナモジュールおよび選択回路モジュールが適合するか否かを判定することができる。
【００１３】
この場合、好ましくは、制御部は、選択アンテナモジュールに固有に設けられた第１識別情報を取得し、取得された第１識別情報に基づいて、選択アンテナモジュールおよび選択回路モジュールが適合するか否かを判定するように構成されている。このように構成すれば、計測器などを用いて特性を取得する必要がなく、選択アンテナモジュールに予め設けられた固有の第１識別情報に基づいて、選択アンテナモジュールおよび選択回路モジュールが適合するか否かを判定することができる。
【００１４】
上記制御部が第１識別情報を取得する構成において、好ましくは、制御部は、携帯機器本体に設けられた本体側制御部を含み、本体側制御部は、選択アンテナモジュールの第１識別情報と選択回路モジュールに固有に設けられた第２識別情報とを取得し、取得された第１識別情報および第２識別情報に基づいて、選択アンテナモジュールおよび選択回路モジュールが適合するか否かを判定するとともに、選択アンテナモジュールと選択回路モジュールとが適合しない場合には携帯機器本体による無線通信を停止するように制御することによって無線通信を不可能にし、選択アンテナモジュールと選択回路モジュールとが適合する場合には無線通信を可能にするように構成されている。このように構成すれば、本体側制御部により、選択アンテナモジュールと選択回路モジュールとが適合しない場合には無線通信が停止されるので、法規制違反になったり、選択アンテナモジュールと選択回路モジュールとが適合しないことに起因して通信に不具合が生じたりする（たとえば、所定の通信性能を満たさなくなったり、適合しない選択アンテナモジュールからの反射波に起因する選択回路モジュールの損傷が生じたりする）のを確実に防止することができる。
【００１５】
上記制御部が本体側制御部を含む構成において、好ましくは、選択アンテナモジュールおよび選択回路モジュールは、それぞれ、第１識別情報を記憶する第１記憶部および第２識別情報を記憶する第２記憶部を含み、本体側制御部は、第１記憶部および第２記憶部からそれぞれ第１識別情報および第２識別情報を読み出すことによって第１識別情報および第２識別情報を取得するように構成されている。このように構成すれば、本体側制御部により、第１記憶部および第２記憶部からそれぞれ第１識別情報および第２識別情報を読み出すだけの簡易な手法で第１識別情報および第２識別情報を取得することができる。
【００１６】
上記制御部が本体側制御部を含む構成において、好ましくは、選択アンテナモジュールは、第１識別情報に対応するように配置された第１導体端子または第１凹凸部を有し、選択回路モジュールは、第２識別情報に対応するように配置された第２導体端子または第２凹凸部を有し、本体側制御部は、第１導体端子の配置または第１凹凸部の配置に基づいて選択アンテナモジュールの第１識別情報を取得するとともに、第２導体端子の配置または第２凹凸部の配置に基づいて選択回路モジュールの第２識別情報を取得するように構成されている。このように構成すれば、選択アンテナモジュールおよび選択回路モジュールのそれぞれに識別情報を記憶するための記憶部を設ける必要がなく、第１導体端子（第２導体端子）または第１凹凸部（第２凹凸部）を所定の位置に配置するだけで第１識別情報（第２識別情報）を取得することができる。
【００１７】
上記制御部が第１識別情報を取得する構成において、好ましくは、制御部は、選択回路モジュールに設けられた回路側制御部を含み、回路側制御部は、選択アンテナモジュールと選択回路モジュールとが適合しない場合には携帯機器本体による無線通信を停止するように制御することによって無線通信を不可能にし、選択アンテナモジュールと選択回路モジュールとが適合する場合には無線通信を可能にするように構成されている。このように構成すれば、選択回路モジュールに設けられた回路側制御部により、選択アンテナモジュールとの適合判定が行われるので、選択回路モジュールに識別情報を設ける必要がない。
【００１８】
上記制御部が回路側制御部を含む構成において、好ましくは、選択アンテナモジュールは、第１識別情報を記憶する第１記憶部を含み、回路側制御部は、第１記憶部から第１識別情報を読み出すことによって第１識別情報を取得するように構成されている。このように構成すれば、回路側制御部により、第１記憶部から第１識別情報を読み出すだけの簡易な手法で第１識別情報を取得することができる。
【００１９】
上記制御部が回路側制御部を含む構成において、好ましくは、選択アンテナモジュールは、第１識別情報に対応するように配置された第１導体端子または第１凹凸部を有し、回路側制御部は、第１導体端子の配置または第１凹凸部の配置に基づいて、選択アンテナモジュールの第１識別情報を取得するように構成されている。このように構成すれば、選択アンテナモジュールに第１識別情報を記憶するための記憶部を設ける必要がなく、第１導体端子または第１凹凸部を所定の位置に配置するだけで第１識別情報を取得することができる。
【００２０】
上記制御部により適合するか否かを判定するための特性を取得する構成において、好ましくは、制御部は、選択回路モジュールから選択アンテナモジュールに伝達される信号波の選択アンテナモジュールからの反射波の大きさに関する特性に基づいて、選択アンテナモジュールおよび選択回路モジュールが適合するか否かを判定するように構成されている。このように構成すれば、選択アンテナモジュールおよび選択回路モジュールのそれぞれに予め固有の識別情報を設けておく必要がない。
【００２１】
上記第１の局面による携帯機器において、好ましくは、選択アンテナモジュールおよび選択回路モジュールの少なくとも一方の携帯機器本体への装着を解除する装着解除部をさらに備え、制御部は、選択アンテナモジュールと選択回路モジュールとが適合しない場合に、選択アンテナモジュールおよび選択回路モジュールの少なくとも一方の携帯機器本体への装着を解除するように装着解除部を制御するように構成されている。このように構成すれば、選択アンテナモジュールと選択回路モジュールとが適合しない場合に、装着解除部により、選択アンテナモジュールおよび選択回路モジュールの少なくとも一方が非装着状態にされるので、適合しない選択アンテナモジュールと選択回路モジュールとによって無線通信が行われるのを確実に防止することができる。
【００２２】
上記第１の局面による携帯機器において、好ましくは、制御部により選択アンテナモジュールと選択回路モジュールとが適合しないと判定された場合に、選択アンテナモジュールと選択回路モジュールとが適合しない組み合わせであることを通知する通知部をさらに備える。このように構成すれば、通知部による通知によって、ユーザが選択アンテナモジュールと選択回路モジュールとが適合しないことを容易に認識することができる。
【００２３】
この発明の第２の局面による携帯機器の無線通信部は、携帯機器本体に装着可能に設けられ、複数の無線通信規格に対応する複数のアンテナモジュールから選択される１つの選択アンテナモジュールと、携帯機器本体に装着可能に設けられ、複数の無線通信規格に対応する複数の回路モジュールから選択される１つの選択回路モジュールとを備え、選択回路モジュールは、選択アンテナモジュールおよび選択回路モジュールが無線通信規格において適合する組み合わせであるか否かを判定するとともに、選択アンテナモジュールと選択回路モジュールとが適合しないと判定した場合には、選択アンテナモジュールおよび選択回路モジュールによる無線通信が不可能になるように制御し、選択アンテナモジュールと選択回路モジュールとが適合すると判定した場合には、選択アンテナモジュールおよび選択回路モジュールに対応する無線通信規格の無線通信が可能になるように制御する回路側制御部を含む。なお、本明細書において「無線通信規格」とは、ＧＳＭ、２Ｇ、３Ｇ、ＷｉＭＡＸおよびＰＨＳなどの無線方式のみならず、無線通信に用いられる周波数を含む広い概念である。
【００２４】
この発明の第２の局面による携帯機器の無線通信部では、上記のように、携帯機器本体に装着可能に設けられ、複数の無線通信規格に対応する複数のアンテナモジュールから選択される１つの選択アンテナモジュールと、携帯機器本体に装着可能に設けられ、複数の無線通信規格に対応する複数の回路モジュールから選択される１つの選択回路モジュールとを備えるように構成することによって、選択回路モジュールと選択アンテナモジュールとが一体の場合に比べて、携帯機器本体に装着するアンテナを含むモジュールが小型になるので、携帯機器本体に対するアンテナモジュールの配置の自由度を向上させることができる。これにより、アンテナモジュールを受信感度が良好な位置に配置し易くなるので、良好な通信特性を得ることができる。また、選択アンテナモジュールに適合する選択回路モジュールが複数の回路モジュールから選択的に携帯機器本体に装着されるように構成することによって、複数のアンテナモジュールに対応する複数の回路モジュールを予め携帯機器本体に搭載しておく必要がない。これにより、携帯機器本体が大型化するのを抑制することができる。したがって、この第２の局面による携帯機器の通信部を用いれば、携帯機器本体が大型化するのを抑制しながら、携帯機器本体に対するアンテナモジュールの配置の自由度を向上させて良好な通信特性を得ることができる。さらに、選択回路モジュールに、選択アンテナモジュールおよび選択回路モジュールが無線通信規格において適合する組み合わせであるか否かを判定するとともに、選択アンテナモジュールと選択回路モジュールとが適合しないと判定した場合には、選択アンテナモジュールおよび選択回路モジュールによる無線通信が不可能になるように制御し、選択アンテナモジュールと選択回路モジュールとが適合すると判定した場合には、選択アンテナモジュールおよび選択回路モジュールに対応する無線通信規格の無線通信が可能になるように制御する回路側制御部を設けることによって、アンテナモジュールと回路モジュールとを分離してそれぞれを携帯機器本体に装着可能にした場合にも、回路側制御部により、適合しない組み合わせの選択アンテナモジュールと選択回路モジュールとによって無線通信が行われるのを防止することができる。これにより、法規制違反になったり、選択アンテナモジュールと選択回路モジュールとが適合しないことに起因して通信に不具合が生じたりする（たとえば、所定の通信性能を満たさなくなったり、適合しない選択アンテナモジュールからの反射波に起因する選択回路モジュールの損傷が生じたりする）のを防止することができる。
【図面の簡単な説明】
【００２５】
【図１】本発明の第１実施形態による携帯電話の全体構成を示した斜視図である。
【図２】本発明の第１実施形態による携帯電話の全体構成を示したブロック図である。
【図３】本発明の第１実施形態による携帯電話のビット位置テーブルを示した図である。
【図４】本発明の第１実施形態による携帯電話の選択アンテナモジュールの装着解除状態を説明するための図である。
【図５】本発明の第１実施形態による携帯電話のアンテナモジュールの識別情報を説明するための図である。
【図６】本発明の第１実施形態による携帯電話の適合判定処理について説明するためのフロー図である。
【図７】本発明の第２実施形態による携帯電話の全体構成を示した斜視図である。
【図８】本発明の第２実施形態による携帯電話の全体構成を示したブロック図である。
【図９】本発明の第２実施形態による携帯電話のアンテナモジュールの凸部を説明するための図である。
【図１０】本発明の第２実施形態による携帯電話のアンテナモジュールの凸部を説明するための平面図である。
【図１１】本発明の第２実施形態による携帯電話の回路モジュールの凸部を説明するための平面図である。
【図１２】本発明の第３実施形態による携帯電話の全体構成を示したブロック図である。
【図１３】本発明の第３実施形態による携帯電話の適合判定処理について説明するためのフロー図である。
【図１４】本発明の第１〜第３実施形態の変形例を示したブロック図である。
【図１５】本発明の第２実施形態の変形例を示した図である。
【発明を実施するための形態】
【００２６】
以下、本発明の実施形態を図面に基づいて説明する。
【００２７】
（第１実施形態）
まず、図１〜図６を参照して、本発明の第１実施形態による携帯電話１００の構成について説明する。なお、携帯電話１００は、本発明の「携帯機器」の一例である。
【００２８】
本発明の第１実施形態による携帯電話１００は、図１に示すように、携帯機器本体１と、複数の無線方式（無線通信規格の一例）（たとえば、ＧＳＭ、３Ｇ、ＷｉＭＡＸなど）に対応する複数のアンテナモジュール２から選択される１つの選択アンテナモジュール２１と、複数の無線方式（たとえば、ＧＳＭ、３Ｇ、ＷｉＭＡＸなど）に対応する複数の回路モジュール３から選択される１つの選択回路モジュール３１とを備えている。ここで、第１実施形態では、アンテナモジュール２および回路モジュール３は、各々の無線方式毎に個別に設けられている。また、携帯電話１００は、無線方式において適合する組み合わせの選択アンテナモジュール２１および選択回路モジュール３１が携帯機器本体１に装着されることによって、対応する無線方式の無線通信が可能になるように構成されている。なお、第１実施形態では、各アンテナモジュール２および各回路モジュール３は、それぞれ、１つの無線方式に対応するように構成されている。また、選択アンテナモジュール２１と選択回路モジュール３１とによって構成される無線通信部は、本発明の「携帯機器の無線通信部」の一例である。
【００２９】
携帯機器本体１は、図１に示すように、前面に設けられた液晶画面からなる表示部１１と、前面に設けられた複数のボタンからなる入力部１２と、上面に設けられた選択アンテナモジュール２１の挿入口１３と、側面に設けられた選択回路モジュール３１の挿入口１４とを有している。また、携帯機器本体１の内部には、図２に示すように、ＲＯＭ１５と、ＲＡＭ１６と、プランジャ１７と、携帯機器本体１の各部を制御する本体側制御部１８とが設けられている。さらに、携帯機器本体１は、図４に示すように、携帯機器本体１に挿入された選択アンテナモジュール２１を挿入方向（下方向）とは反対の方向（上方向）に付勢する圧縮バネ１ｂを有している。
【００３０】
ＲＯＭ１５には、電話やメール、インターネットなど各種の機能を実行するための処理プログラムが記憶されている。また、ＲＯＭ１５には、本体側制御部１８により選択アンテナモジュール２１と選択回路モジュール３１とが適合するか否かを判断するためのビット位置テーブルが記憶されている。ビット位置テーブルは、図３に示すように、１６ビットに対応しており、各ビット位置と各無線方式とを対応付けている。
【００３１】
ＲＡＭ１６は、ＲＯＭ１５に記録されている処理プログラムの読み出しに用いられる。また、処理プログラムの実行時に、本体側制御部１８の作業領域として利用される。
【００３２】
プランジャ１７は、図４に示すように、ピストン機構によって突出部１７ａがＹ方向に直線移動するように構成されている。具体的には、突出部１７ａは、Ｙ方向に移動することによって、携帯機器本体１に挿入された選択アンテナモジュール２１の後述する凹部２１ａと係合状態または非係合状態となるように構成されている。これにより、突出部１７ａと凹部２１ａとが係合状態となる場合には、選択アンテナモジュール２１は、圧縮バネ１ｂによる携帯機器本体１から押し出される方向（上方向）の付勢力に抗する状態となり、携帯機器本体１に装着される。一方、突出部１７ａと凹部２１ａとが非係合状態となる場合には、選択アンテナモジュール２１は、圧縮バネ１ｂにより携帯機器本体１から押し出されることによって携帯機器本体１への装着が解除される。なお、圧縮バネ１ｂおよびプランジャ１７は、本発明の「装着解除部」の一例である。
【００３３】
本体側制御部１８は、ＲＯＭ１５に記憶されている処理プログラムおよびＲＡＭ１６にロードされた処理プログラムを実行するために設けられている。また、本体側制御部１８は、インタフェース１９を介して、携帯機器本体１に装着された選択回路モジュール３１と通信可能に構成されている。また、本体側制御部１８は、選択アンテナモジュール２１および選択回路モジュール３１の両方が携帯機器本体１に挿入された場合に、後述するように、適合判定処理を実行するように構成されている。また、本体側制御部１８は、選択アンテナモジュール２１と選択回路モジュール３１とが適合しない場合に、スピーカ１ａ（図１および図２参照）からエラー音が出力されるように各部を制御するように構成されている。なお、スピーカ１ａおよび本体側制御部１８は、本発明の「通知部」の一例である。
【００３４】
アンテナモジュール２（選択アンテナモジュール２１）は、約１０ｍｍの高さＨ１と、約２５ｍｍの幅Ｗ１と、約１ｍｍの厚みＴ１とを有しており、後述するように、回路モジュール３（選択回路モジュール３１）よりも小型に形成されている。また、アンテナモジュール２（選択アンテナモジュール２１）は、前面に矩形形状に形成された凹部２ａ（２１ａ）を有している。また、凹部２ａ（２１ａ）は、アンテナモジュール２（選択アンテナモジュール２１）が携帯機器本体１に挿入された状態で、プランジャ１７の突出部１７ａに対向する位置に配置されている。
【００３５】
アンテナモジュール２（選択アンテナモジュール２１）の内部には、図２に示すように、無線電波用のアンテナエレメント２ｂと、高周波信号の伝達が可能な静電結合用の結合端子２ｃと、ＲＯＭ２ｄとが設けられている。なお、ＲＯＭ２ｄは、本発明の「第１記憶部」の一例である。
【００３６】
結合端子２ｃは、アンテナエレメント２ｂに接続されている。また、結合端子２ｃは、選択アンテナモジュール２１および選択回路モジュール３１の両方が携帯機器本体１に装着された場合に、携帯機器本体１の内部に設けられたケーブル１ｃを介して選択回路モジュール３１の後述する結合端子３ｃに静電結合により接続可能に構成されている。これにより、選択アンテナモジュール２１および選択回路モジュール３１の両方が携帯機器本体１に装着された場合に、選択アンテナモジュール２１と選択回路モジュール３１との間で非接触で高周波信号の伝達が可能となる。
【００３７】
ＲＯＭ２ｄには、いずれの無線方式に対応するものであるかを示す各アンテナモジュール２（選択アンテナモジュール２１）に固有に設けられたＩＤ情報が記憶されている。具体的には、各アンテナモジュール２（選択アンテナモジュール２１）のＩＤ情報は、１６ビットで構成されているとともに、対応可能な無線方式に対応するビット位置で「１」が立てられるように構成されている。たとえば、３Ｇに対応するアンテナモジュール２（選択アンテナモジュール２１）の場合には、図５に示すように、第３ビット位置に「１」が立てられている。また、ＧＳＭに対応するアンテナモジュール２（選択アンテナモジュール２１）の場合には、第０ビット位置に「１」が立てられている。これにより、ＲＯＭ１５に記憶されたビット位置テーブル（図３参照）および取得したＩＤ情報に基づいて、本体側制御部１８により、アンテナモジュール２（選択アンテナモジュール２１）がいずれの無線方式に対応するものであるかを認識することが可能となる。なお、各アンテナモジュール２（選択アンテナモジュール２１）のＩＤ情報は、本発明の「第１識別情報」の一例である。
【００３８】
回路モジュール３（選択回路モジュール３１）は、約３０ｍｍの高さＨ２と、約３０ｍｍの幅Ｗ２と、約３ｍｍの厚みＴ２とを有しており、アンテナモジュール２（選択アンテナモジュール２１）よりも大型である。これは、アンテナモジュール２（選択アンテナモジュール２１）には、アンテナエレメント２ｂおよび結合端子２ｃといった小型化し易い部品しか含まれていないのに対して、回路モジュール３（選択回路モジュール３１）には、後述のように、回路側制御部３ａや無線回路３ｂといった小型化しづらい部品が含まれるためである。
【００３９】
回路モジュール３（選択回路モジュール３１）の内部には、図２に示すように、回路側制御部３ａと、無線回路３ｂと、高周波信号の伝達が可能な静電結合用の結合端子３ｃと、ＲＯＭ３ｄとが設けられている。なお、ＲＯＭ３ｄは、本発明の「第２記憶部」の一例である。
【００４０】
回路側制御部３ａは、選択回路モジュール３１が携帯機器本体１に装着された場合に、インタフェース３ｅを介して携帯機器本体１と通信可能に接続されている。また、回路側制御部３ａは、無線回路３ｂに接続されており、無線回路３ｂとの間で通信可能に構成されている。これにより、回路側制御部３ａは、携帯機器本体１からの指示を無線回路３ｂに伝達するとともに、無線回路３ｂからの信号を携帯機器本体１に伝達することが可能である。
【００４１】
無線回路３ｂは、選択アンテナモジュール２１のアンテナエレメント２ｂを介して無線通信による各種信号（たとえば、音声信号や映像信号など）を送受信可能に構成されている。
【００４２】
結合端子３ｃは、無線回路３ｂに接続されている。また、結合端子３ｃは、選択アンテナモジュール２１および選択回路モジュール３１の両方が携帯機器本体１に装着された場合に、携帯機器本体１に設けられたケーブル１ｃを介して選択アンテナモジュール２１の結合端子２ｃと静電結合可能に構成されている。このようにケーブル１ｃを用いることによって、装着後の選択アンテナモジュール２１と選択回路モジュール３１との離間距離が大きい場合でも、選択アンテナモジュール２１および選択回路モジュール３１を互いに静電結合させることが可能となる。これにより、選択アンテナモジュール２１の配置の自由度をより向上させることができる。
【００４３】
ＲＯＭ３ｄには、いずれの無線方式に対応するものであるかを示す各回路モジュール３（選択回路モジュール３１）に固有に設けられたＩＤ情報が記憶されている。具体的には、各回路モジュール３（選択回路モジュール３１）のＩＤ情報は、アンテナモジュール２（選択アンテナモジュール２１）のＩＤ情報と同様に、１６ビットで構成されているとともに、対応可能な無線方式に対応するビット位置で「１」が立てられるように構成されている。これにより、ＲＯＭ１５に記憶されたビット位置テーブル（図３参照）および取得したＩＤ情報に基づいて、本体側制御部１８により、回路モジュール３（選択回路モジュール３１）がいずれの無線方式に対応するものであるかを認識することが可能となる。なお、各回路モジュール３（選択回路モジュール３１）のＩＤ情報は、本発明の「第２識別情報」の一例である。
【００４４】
次に、図６を参照して、第１実施形態による携帯電話１００の本体側制御部１８による適合判定処理について説明する。
【００４５】
選択アンテナモジュール２１および選択回路モジュール３１の両方が携帯機器本体１に挿入されると、本体側制御部１８により適合判定処理が実行される。本体側制御部１８は、ステップＳ１において、選択アンテナモジュール２１のＲＯＭ２ｄからＩＤ情報を取得するとともに、選択回路モジュール３１のＲＯＭ３ｄからもＩＤ情報を取得する。そして、ステップＳ２において、本体側制御部１８は、選択アンテナモジュール２１および選択回路モジュール３１の両方からＩＤ情報を取得したか否かを判断し、両方のＩＤ情報が取得されるまでステップＳ１およびステップＳ２の動作を繰り返す。選択アンテナモジュール２１および選択回路モジュール３１の両方からＩＤ情報が取得されると、ステップＳ３において、本体側制御部１８は、取得した２つのＩＤ情報に基づいて、選択アンテナモジュール２１と選択回路モジュール３１とが無線方式において適合する組み合わせであるか否かを判定する。具体的には、本体側制御部１８は、ＲＯＭ１５のビット位置テーブル（図３参照）および取得したＩＤ情報に基づいて、選択アンテナモジュール２１および選択回路モジュール３１がそれぞれいずれの無線方式に対応するものであるかを認識して互いに適合するか否かを判定する。
【００４６】
適合する場合には、ステップＳ４において、本体側制御部１８は、装着された選択アンテナモジュール２１および選択回路モジュール３１に対応する無線方式の無線通信を可能にする。具体的には、本体側制御部１８は、インタフェース１９を介して、選択回路モジュール３１との間で各種信号（たとえば、音声信号や映像信号など）の送受信を開始する。これにより、選択回路モジュール３１および選択アンテナモジュール２１を用いた無線通信が開始される。
【００４７】
そして、ステップＳ５において、本体側制御部１８は、選択アンテナモジュール２１の凹部２１ａとプランジャ１７の突出部１７ａとが係合状態となるようにプランジャ１７の突出部１７ａを凹部２１ａと係合する位置に移動する。具体的には、本体側制御部１８により、プランジャ１７の突出部１７ａが選択アンテナモジュール２１に向かって移動されることによって、選択アンテナモジュール２１の凹部２１ａとプランジャ１７の突出部１７ａとが係合される。これにより、選択アンテナモジュール２１は、圧縮バネ１ｂによる上方向の付勢力に抗する状態となり、携帯機器本体１に装着される。
【００４８】
一方、適合しない場合には、ステップＳ６において、本体側制御部１８は、装着された選択アンテナモジュール２１および選択回路モジュール３１による無線通信を不可能にする。具体的には、本体側制御部１８は、選択回路モジュール３１との間の各種信号（たとえば、音声信号や映像信号など）の送受信を停止する。これにより、選択回路モジュール３１および選択アンテナモジュール２１を用いた無線通信が停止される。
【００４９】
そして、ステップＳ７において、本体側制御部１８は、選択アンテナモジュール２１の凹部２１ａとプランジャ１７の突出部１７ａとが非係合状態となるようにプランジャ１７の突出部１７ａを凹部２１ａと係合しない位置に移動する。具体的には、本体側制御部１８により、プランジャ１７の突出部１７ａが選択アンテナモジュール２１から離間する方向に移動されることによって、選択アンテナモジュール２１の凹部２１ａとプランジャ１７の突出部１７ａとが係合されない。これにより、選択アンテナモジュール２１は、圧縮バネ１ｂによる上方向の付勢力に抗することができず、携帯機器本体１から押し出されて携帯機器本体１への装着が解除される。その後、ステップＳ８において、本体側制御部１８は、スピーカ１ａからエラー音を出力する。
【００５０】
第１実施形態では、上記のように、携帯機器本体１に装着可能に設けられ、複数の無線方式（無線通信規格の一例）に対応する複数のアンテナモジュール２から選択される１つの選択アンテナモジュール２１と、携帯機器本体１に装着可能に設けられ、複数の無線方式に対応する複数の回路モジュール３から選択される１つの選択回路モジュール３１とを備えるように構成することによって、選択回路モジュール３１と選択アンテナモジュール２１とが一体の場合に比べて、携帯機器本体１に装着するアンテナを含むモジュールが小型になるので、携帯機器本体１に対するアンテナモジュール２の配置の自由度を向上させることができる。これにより、アンテナモジュール２を受信感度が良好な位置に配置し易くなるので、良好な通信特性を得ることができる。また、選択アンテナモジュール２１に適合する選択回路モジュール３１が複数の回路モジュール３から選択的に携帯機器本体１に装着されるように構成することによって、複数のアンテナモジュール２に対応する複数の回路モジュール３を予め携帯機器本体１に搭載しておく必要がない。これにより、携帯機器本体１が大型化するのを抑制することができる。したがって、この第１実施形態による携帯電話１００では、携帯機器本体１が大型化するのを抑制しながら、携帯機器本体１に対するアンテナモジュール２の配置の自由度を向上させて良好な通信特性を得ることができる。
【００５１】
また、第１実施形態では、選択アンテナモジュール２１および選択回路モジュール３１が無線方式において適合する組み合わせであるか否かを判定する本体側制御部１８を設け、選択アンテナモジュール２１と選択回路モジュール３１とが適合しないと判定した場合には、選択アンテナモジュール２１および選択回路モジュール３１による無線通信が不可能になるように制御するとともに、選択アンテナモジュール２１と選択回路モジュール３１とが適合すると判定した場合には、選択アンテナモジュール２１および選択回路モジュール３１に対応する無線方式の無線通信が可能になるように制御するように本体側制御部１８を構成することによって、アンテナモジュール２と回路モジュール３とを分離してそれぞれを携帯機器本体１に装着可能にした場合にも、本体側制御部１８により、適合しない組み合わせの選択アンテナモジュール２１と選択回路モジュール３１とによって無線通信が行われるのを防止することができる。これにより、法規制違反になったり、選択アンテナモジュール２１と選択回路モジュール３１とが適合しないことに起因して通信に不具合が生じたりする（たとえば、所定の通信性能を満たさなくなったり、適合しない選択アンテナモジュール２１からの反射波に起因する選択回路モジュール３１の損傷が生じたりする）のを防止することができる。
【００５２】
また、第１実施形態では、選択アンテナモジュール２１と選択回路モジュール３１とが適合しない場合には携帯機器本体１による無線通信を停止するように本体側制御部１８を構成することによって、法規制違反になったり、選択アンテナモジュール２１と選択回路モジュール３１とが適合しないことに起因して通信に不具合が生じたりする（たとえば、所定の通信性能を満たさなくなったり、適合しない選択アンテナモジュール２１からの反射波に起因する選択回路モジュール３１の損傷が生じたりする）のを確実に防止することができる。
【００５３】
また、第１実施形態では、選択アンテナモジュール２１の携帯機器本体１への装着を解除するプランジャ１７および圧縮バネ１ｂを設け、本体側制御部１８により、選択アンテナモジュール２１と選択回路モジュール３１とが適合しない場合に、選択アンテナモジュール２１の携帯機器本体１への装着を解除するようにプランジャ１７を制御することによって、選択アンテナモジュール２１と選択回路モジュール３１とが適合しない場合に、選択アンテナモジュール２１が非装着状態にされるので、適合しない選択アンテナモジュール２１と選択回路モジュール３１とによって無線通信が行われるのを確実に防止することができる。
【００５４】
また、第１実施形態では、選択アンテナモジュール２１と選択回路モジュール３１とが適合しないと判定した場合に、選択アンテナモジュール２１と選択回路モジュール３１とが適合しない組み合わせであることを通知するスピーカ１ａを設けることによって、ユーザが選択アンテナモジュール２１と選択回路モジュール３１とが適合しないことを容易に認識することができる。
【００５５】
（第２実施形態）
次に、図７〜図１０を参照して、本発明の第２実施形態による携帯電話２００について説明する。この第２実施形態では、上記第１実施形態と異なり、アンテナモジュール２０２（選択アンテナモジュール２２１）に設けられた凸部２０２ｅの配置に基づいてアンテナモジュール２０２（選択アンテナモジュール２２１）の固有の識別情報を取得し、回路モジュール２０３（選択回路モジュール２３１）に設けられた凸部２０３ｆの配置に基づいて回路モジュール２０３（選択回路モジュール２３１）の固有の識別情報を取得する携帯電話２００について説明する。なお、携帯電話２００は、本発明の「携帯機器」の一例である。また、凸部２０２ｅは、本発明の「第１凹凸部」の一例であり、凸部２０３ｆは、本発明の「第２凹凸部」の一例である。
【００５６】
第２実施形態による携帯電話２００は、図７に示すように、携帯機器本体２０１と、複数の無線方式（無線通信規格の一例）（たとえば、ＧＳＭ、３Ｇ、ＷｉＭＡＸなど）に対応する複数のアンテナモジュール２０２から選択される１つの選択アンテナモジュール２２１と、複数の無線方式（たとえば、ＧＳＭ、３Ｇ、ＷｉＭＡＸなど）に対応する複数の回路モジュール２０３から選択される１つの選択回路モジュール２３１とを備えている。また、携帯電話２００は、無線方式において適合する組み合わせの選択アンテナモジュール２２１および選択回路モジュール２３１が装着されることによって、対応する無線方式の無線通信が可能になるように構成されている。なお、選択アンテナモジュール２２１と選択回路モジュール２３１とによって、本発明の「携帯機器の無線通信部」が構成されている。
【００５７】
携帯機器本体２０１の内部には、図８に示すように、スピーカ１ａ、ＲＯＭ１５、ＲＡＭ１６、プランジャ１７、本体側制御部１８およびインタフェース１９に加えて、凸部検知部２０が設けられている。
【００５８】
ここで、第２実施形態では、本体側制御部１８は、各選択アンテナモジュール２２１に設けられた後述する凸部２０２ｅの配置に基づいて、各選択アンテナモジュール２２１に固有の識別情報を取得するように構成されている。また、本体側制御部１８は、各選択回路モジュール２３１に設けられた後述する凸部２０３ｆの配置に基づいて、各選択回路モジュール２３１に固有の識別情報を取得するように構成されている。
【００５９】
凸部検知部２０は、選択アンテナモジュール２２１の凸部２０２ｅを検知するとともに、選択回路モジュール２３１の凸部２０３ｆを検知する機能を有している。具体的には、凸部検知部２０は、図９に示すように、携帯機器本体２０１に装着された選択アンテナモジュール２２１に設けられた凸部２０２ｅに接触可能な導電性材料からなる１６個のスイッチ２０ａを有している。これにより、選択アンテナモジュール２２１に設けられた凸部２０２ｅの位置に対応するスイッチ２０ａが凸部２０２ｅにより移動されてオン状態にされる。また、凸部検知部２０は、選択回路モジュール２３１に対応するように、選択アンテナモジュール２２１のスイッチ２０ａと同様に構成された図示しない１６個のスイッチを有している。
【００６０】
アンテナモジュール２０２（選択アンテナモジュール２２１）は、図７に示すように、前面の下方端部近傍に凸部２０２ｅを有している。具体的には、アンテナモジュール２０２（選択アンテナモジュール２２１）の前面には、図１０に示すように、下方端部近傍に凸部２０２ｅを配置するための１６個の配置領域２０２ｆがＸ方向（幅方向）に隣接して設けられている。１６個の配置領域２０２ｆは、ＲＯＭ１５に収容されたビット位置テーブル（図３参照）に対応している。詳細には、各配置領域２０２ｆは、Ｘ１方向の端部から順に第０ビット位置、第１ビット位置・・・に対応しており、Ｘ２方向の端部の配置領域２０２ｆが第１５ビット位置に対応している。そして、アンテナモジュール２０２（選択アンテナモジュール２２１）の凸部２０２ｅは、対応可能な無線方式に対応するビット位置に形成されている。たとえば、２Ｇの無線方式に対応するアンテナモジュール２０２（選択アンテナモジュール２２１）の場合には、図１０に示すように、凸部２０２ｅは、Ｘ１方向の端部から３番目の第２ビット位置に配置されている。これにより、選択アンテナモジュール２２１が携帯機器本体２０１に装着された場合に、凸部２０２ｅの位置に対応する凸部検知部２０のスイッチ２０ａがオン状態にされることによって、本体側制御部１８により、ビット位置テーブルに基づいて、選択アンテナモジュール２２１の対応可能な無線方式が認識される。すなわち、第２実施形態では、本体側制御部１８により、選択アンテナモジュール２２１の凸部２０２ｅの配置に基づいて、選択アンテナモジュール２２１の適合判定用の固有の識別情報が取得される。
【００６１】
回路モジュール２０３（選択回路モジュール２３１）は、図７に示すように、前面の挿入方向端部近傍に凸部２０３ｆを有している。具体的には、回路モジュール２０３（選択回路モジュール２３１）の前面には、図１１に示すように、アンテナモジュール２０２（選択アンテナモジュール２２１）と同様に、挿入方向端部近傍に凸部２０３ｆを配置するための１６個の配置領域２０３ｇがＺ方向（上下方向）に隣接して設けられている。これら１６個の配置領域２０３ｇは、ＲＯＭ１５に収容されたビット位置テーブル（図３参照）に対応している。詳細には、各配置領域２０３ｇは、下方端部から順に第０ビット位置、第１ビット位置・・・に対応しており、上方端部の配置領域２０３ｇが第１５ビット位置に対応している。そして、回路モジュール２０３（選択回路モジュール２３１）の凸部２０３ｆは、対応可能な無線方式に対応するビット位置に形成されている。これにより、選択回路モジュール２３１が携帯機器本体２０１に装着された場合に、凸部２０３ｆの位置に対応する凸部検知部２０のスイッチがオン状態にされることによって、本体側制御部１８により、ビット位置テーブルに基づいて、選択回路モジュール２３１の対応可能な無線方式が認識される。すなわち、本体側制御部１８により、選択回路モジュール２３１の凸部２０３ｆの配置に基づいて、選択回路モジュール２３１の適合判定用の固有の識別情報が取得される。
【００６２】
また、選択アンテナモジュール２２１の結合端子２ｃと選択回路モジュール２３１の結合端子３ｃとは、図８に示すように、選択アンテナモジュール２２１および選択回路モジュール２３１の両方が携帯機器本体２０１に装着された場合に、互いに所定の間隔を隔てて対向する位置に配置されるように構成されている。これにより、上記第１実施形態のようにケーブル１ｃを用いる必要がなく、結合端子２ｃと結合端子３ｃとが直接的に静電結合により接続可能となる。
【００６３】
なお、第２実施形態のその他の構成は、上記第１実施形態と同様である。
【００６４】
第２実施形態では、上記のように、選択アンテナモジュール２２１に凸部２０２ｅを設け、選択回路モジュール２３１に凸部２０３ｆを設けるとともに、凸部２０２ｅおよび凸部２０３ｆの配置に基づいてそれぞれ選択アンテナモジュール２２１および選択回路モジュール２３１に固有に設けられた識別情報を取得するように本体側制御部１８を構成することによって、選択アンテナモジュール２２１および選択回路モジュール２３１のそれぞれに識別情報を記憶するためのＲＯＭなどからなる記憶部を設ける必要がなく、選択アンテナモジュール２２１および選択回路モジュール２３１の識別情報を取得することができる。
【００６５】
なお、第２実施形態のその他の効果は、上記第１実施形態と同様である。
【００６６】
（第３実施形態）
次に、図１２および図１３を参照して、本発明の第３実施形態による携帯電話３００について説明する。この第３実施形態では、上記第１実施形態と異なり、選択アンテナモジュール３２１と選択回路モジュール３３１とが適合するか否かを選択回路モジュール３３１の回路側制御部３０３ａが判定する携帯電話３００について説明する。なお、携帯電話３００は、本発明の「携帯機器」の一例である。
【００６７】
第３実施形態による携帯電話３００は、図１２に示すように、携帯機器本体３０１と、複数の無線方式（無線通信規格の一例）（たとえば、ＧＳＭ、３Ｇ、ＷｉＭＡＸなど）に対応する複数のアンテナモジュール３０２から選択される１つの選択アンテナモジュール３２１と、複数の無線方式（たとえば、ＧＳＭ、３Ｇ、ＷｉＭＡＸなど）に対応する複数の回路モジュール３０３から選択される１つの選択回路モジュール３３１とを備えている。また、携帯電話３００は、無線方式において適合する組み合わせの選択アンテナモジュール３２１および選択回路モジュール３３１が装着されることによって、対応する無線方式の無線通信が可能になるように構成されている。なお、選択アンテナモジュール３２１と選択回路モジュール３３１とによって、本発明の「携帯機器の無線通信部」が構成されている。
【００６８】
回路モジュール３０３（選択回路モジュール３３１）は、回路側制御部３０３ａと、無線回路３ｂと、結合端子３ｃと、ＲＯＭ３０３ｄとを有している。
【００６９】
回路側制御部３０３ａは、ＲＯＭ３０３ｄに記憶されている処理プログラムを実行するために設けられている。また、回路側制御部３０３ａは、インタフェース３ｅを介して、携帯機器本体３０１と通信可能に構成されている。また、回路側制御部３０３ａは、選択アンテナモジュール３２１および選択回路モジュール３３１の両方が携帯機器本体３０１に挿入された場合に、後述するように、適合判定処理を実行するように構成されている。
【００７０】
ＲＯＭ３０３ｄには、回路側制御部３０３ａが適合判定処理を実行するための処理プログラムが格納されている。また、ＲＯＭ３０３ｄには、回路側制御部３０３ａが選択アンテナモジュール３２１と選択回路モジュール３３１とが適合するか否かを判断するための、上記第１実施形態と同様の構成のビット位置テーブル（図３参照）が記憶されている。
【００７１】
携帯機器本体３０１の本体側制御部３１８は、上記第１実施形態と異なり、選択アンテナモジュール３２１と選択回路モジュール３３１とが適合するか否かを判定せずに、適合判定結果を、選択回路モジュール３３１の回路側制御部３０３ａからインタフェース１９を介して取得するように構成されている。また、本体側制御部３１８は、選択アンテナモジュール３２１と選択回路モジュール３３１とが適合する場合には、プランジャ１７の突出部１７ａを移動させて選択アンテナモジュール３２１の凹部２１ａと突出部１７ａとを係合状態にする。また、本体側制御部３１８は、選択アンテナモジュール３２１と選択回路モジュール３３１とが適合しない場合には、プランジャ１７の突出部１７ａを移動させて選択アンテナモジュール３２１の凹部２１ａと突出部１７ａとを非係合状態にするように構成されている。また、本体側制御部３１８は、選択アンテナモジュール３２１と選択回路モジュール３３１とが適合しない場合には、スピーカ１ａからエラー音が出力されるように各部を制御するように構成されている。
【００７２】
次に、図１３を参照して、第３実施形態による携帯電話３００の選択回路モジュール３３１の回路側制御部３０３ａによる適合判定処理について説明する。
【００７３】
選択アンテナモジュール３２１および選択回路モジュール３３１の両方が携帯機器本体１に挿入されると、回路側制御部３０３ａにより適合判定処理が実行される。回路側制御部３０３ａは、ステップＳ１１において、選択アンテナモジュール３２１のＲＯＭ２ｄからＩＤ情報を取得する。具体的には、選択アンテナモジュール３２１のＩＤ情報は、携帯機器本体３０１の本体側制御部３１８により一旦取得された後、インタフェース３ｅを介して選択回路モジュール３３１の回路側制御部３０３ａにより取得される。そして、ステップＳ１２において、回路側制御部３０３ａは、選択アンテナモジュール３２１からＩＤ情報を取得したか否かを判断し、ＩＤ情報が取得されるまでステップＳ１１およびステップＳ１２の動作を繰り返す。選択アンテナモジュール３２１からＩＤ情報が取得されると、ステップＳ１３において、回路側制御部３０３ａは、取得したＩＤ情報に基づいて、選択アンテナモジュール３２１と選択回路モジュール３３１とが無線方式において適合する組み合わせであるか否かを判定する。具体的には、回路側制御部３０３ａは、ＲＯＭ３０３ｄのビット位置テーブル（図３参照）および取得した選択アンテナモジュール３２１のＩＤ情報に基づいて、選択アンテナモジュール３２１がいずれの無線方式に対応するものであるかを認識して、選択アンテナモジュール３２１と選択回路モジュール３３１とが適合するか否かを判定する。
【００７４】
適合する場合には、ステップＳ１４において、回路側制御部３０３ａは、装着された選択アンテナモジュール３２１および選択回路モジュール３３１による無線通信を可能にする。具体的には、回路側制御部３０３ａは、携帯機器本体３０１の本体側制御部３１８との間で送受信される各種信号（たとえば、音声信号や映像信号など）に基づいて、ケーブル１ｃを介して選択アンテナモジュール３２１との間で無線通信による各種信号（たとえば、音声信号や映像信号など）の送受信を開始する。これにより、選択回路モジュール３３１および選択アンテナモジュール３２１を用いた無線通信が開始される。
【００７５】
一方、適合しない場合には、ステップＳ１５において、回路側制御部３０３ａは、装着された選択アンテナモジュール３２１および選択回路モジュール３３１による無線通信を不可能にする。具体的には、回路側制御部３０３ａは、選択回路モジュール３３１と選択アンテナモジュール３２１との間でケーブル１ｃを介して行われる無線通信による各種信号（たとえば、音声信号や映像信号など）の送受信を停止する。これにより、選択回路モジュール３３１および選択アンテナモジュール３２１を用いた無線通信が停止される。
【００７６】
なお、第３実施形態のその他の構成は、上記第１実施形態と同様である。
【００７７】
第３実施形態では、上記のように、選択アンテナモジュール３２１と選択回路モジュール３３１とが適合しない場合には携帯機器本体３０１による無線通信を停止するように選択回路モジュール３３１の回路側制御部３０３ａを構成することによって、法規制違反になったり、選択アンテナモジュール３２１と選択回路モジュール３３１とが適合しないことに起因して通信に不具合が生じたりする（たとえば、所定の通信性能を満たさなくなったり、適合しない選択アンテナモジュール３２１からの反射波に起因する選択回路モジュール３３１の損傷が生じたりする）のを確実に防止することができる。
【００７８】
なお、第３実施形態のその他の効果は、上記第１実施形態と同様である。
【００７９】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００８０】
たとえば、上記第１〜第３実施形態では、携帯機器の一例として、携帯電話を示したが、本発明はこれに限られない。本発明では、たとえば、ＰＤＡ（Ｐｅｒｓｏｎａｌ  Ｄｉｇｉｔａｌ  Ａｓｓｉｓｔａｎｔ）や小型のノートパソコンなど携帯電話以外の携帯機器であってもよい。
【００８１】
また、上記第１〜第３実施形態では、複数のアンテナモジュールがＧＳＭ、３Ｇ、ＷｉＭＡＸなどの複数の無線方式（無線通信規格の一例）に対応するとともに、複数の回路モジュールがＧＳＭ、３Ｇ、ＷｉＭＡＸなどの複数の無線方式に対応する構成の例を示したが、本発明はこれに限られない。本発明では、複数のアンテナモジュールが異なる周波数（無線通信規格の他の例）に対応するとともに、複数の回路モジュールが異なる周波数に対応する構成であってもよい。
【００８２】
また、上記第１〜第３実施形態では、各アンテナモジュールおよび各回路モジュールを、それぞれ、１つの無線方式に対応するように構成する例を示したが、本発明はこれに限られない。本発明では、各アンテナモジュールおよび各回路モジュールが、それぞれ、複数の無線方式に対応する構成であってもよいし、１つの無線方式に対応するものと複数の無線方式に対応するものとが混在する構成であってもよい。
【００８３】
また、上記第１〜第３実施形態では、選択アンテナモジュールと選択回路モジュールとが適合しない場合に、各種信号（たとえば、音声信号や映像信号など）の送受信を停止することによって携帯機器本体による無線通信を不可能にする構成の例を示したが、本発明はこれに限られない。本発明では、たとえば、選択アンテナモジュールと選択回路モジュールとが適合しない場合に、携帯機器本体の電源をオフにすることによって無線通信を不可能にする構成であってもよい。
【００８４】
また、上記第１〜第３実施形態では、少なくとも選択アンテナモジュールに固有に設けられた識別情報に基づいて、選択アンテナモジュールおよび選択回路モジュールが適合するか否かを判定する構成の例を示したが、本発明はこれに限られない。本発明では、たとえば、図１４に示す変形例のように構成してもよい。この変形例では、携帯機器本体４０１と、選択アンテナモジュール４２１と、選択回路モジュール４３１とを備えた携帯電話４００において、選択回路モジュール４３１の無線回路３ｂと結合端子３ｃとの間に方向性結合器４０３ｇを設けて選択回路モジュール４３１から選択アンテナモジュール４２１に伝達される信号波の反射波の大きさ（特性）を測定する。そして、測定された反射波の大きさに基づいて、選択アンテナモジュール４２１および選択回路モジュール４３１が適合するか否かを判定する。この際、反射波の大きさが所定の閾値以上のであれば、選択アンテナモジュール４２１と選択回路モジュール４３１とが適合しないと判定してもよい。また、定在波比（進行波と反射波の関係を示す値）に基づいて、選択アンテナモジュール４２１および選択回路モジュール４３１が適合するか否かを判定する構成であってもよい。
【００８５】
また、上記第１および第２実施形態では携帯機器本体の１つの本体側制御部により、上記第３実施形態では選択回路モジュールの１つの回路側制御部により、選択アンテナモジュールおよび選択回路モジュールが適合するか否かを判定するとともに、選択アンテナモジュールと選択回路モジュールとが適合しない場合に無線通信を不可能にする構成の例を示したが、本発明はこれに限られない。本発明では、携帯機器本体の本体側制御部により、選択アンテナモジュールおよび選択回路モジュールが適合するか否かを判定し、選択回路モジュールの回路側制御部により、選択アンテナモジュールと選択回路モジュールとが適合しない場合に無線通信を不可能にする構成であってもよいし、この反対の構成であってもよい。すなわち、適合判定と無線通信の不可能化とを異なる制御部で行う構成であってもよい。
【００８６】
また、上記第１〜第３実施形態では、アンテナモジュールおよび回路モジュールの識別情報を１６ビットに対応するように構成する例を示したが、本発明はこれに限られない。本発明では、たとえば、８ビットや３２ビットなど、１６ビット以外に対応するように識別情報を構成してもよい。
【００８７】
また、上記第２実施形態では、選択アンテナモジュールおよび選択回路モジュールのそれぞれに設けた第１凹凸部および第２凹凸部としての凸部の配置に基づいて、選択アンテナモジュールおよび選択回路モジュールの識別情報を取得する構成の例を示したが、本発明はこれに限られない。本発明では、図１５に示すように、凸部に代えて、選択アンテナモジュール５２１および図示しない選択回路モジュールのそれぞれに導体端子５０２ｅを設け、導体端子５０２ｅの配置に基づいて、選択アンテナモジュール５２１および選択回路モジュール（図示せず）の識別情報を取得する構成であってもよい。
【００８８】
また、上記第２実施形態では、携帯機器本体の制御部により、選択アンテナモジュールおよび選択回路モジュールが適合するか否かを判定する構成の例を示したが、本発明はこれに限られない。本発明では、選択回路モジュールの制御部により、選択アンテナモジュールおよび選択回路モジュールが適合するか否かを判定する構成であってもよい。この場合、選択回路モジュールには第２凹凸部としての凸部を設けることなく、選択アンテナモジュールのみに第１凹凸部としての凸部を設ける構成であってもよい。また、この場合、第１凹凸部としての凸部に代えて、選択アンテナモジュールに導体端子を設け、導体端子の配置に基づいて、選択アンテナモジュールの識別情報を取得してもよい。
【００８９】
また、上記第２実施形態では、アンテナモジュールおよび回路モジュールのそれぞれに１６ビットに対応するように１６個の配置領域を設ける構成の例を示したが、本発明はこれに限られない。本発明では、たとえば、８個の配置領域だけを設けて、１６ビットに対応する構成であってもよい。この場合、複数の凸部を用いて、これらの配置の組み合わせによって、１６ビットに対応するようにしてもよい。
【００９０】
また、上記第１〜第３実施形態では、選択アンテナモジュールと選択回路モジュールとが適合しない場合に、選択アンテナモジュールの携帯機器本体への装着が解除される構成の例を示したが、本発明はこれに限られない。本発明では、選択アンテナモジュールと選択回路モジュールとが適合しない場合に、選択回路モジュールの携帯機器本体への装着が解除される構成であってもよいし、選択アンテナモジュールおよび選択回路モジュールの両方の携帯機器本体への装着が解除される構成であってもよい。
【００９１】
また、上記第１〜第３実施形態では、選択アンテナモジュールと選択回路モジュールとが適合しない組み合わせであることをエラー音によってユーザに通知する構成の例を示したが、本発明はこれに限られない。本発明では、選択アンテナモジュールと選択回路モジュールとが適合しない組み合わせであることを、たとえば、表示部に適合しない組み合わせである旨のメッセージを含むエラー画面を表示することによって通知する構成であってもよいし、バイブレータ機能によりエラーを通知する構成であってもよい。
【００９２】
また、上記第１〜第３実施形態では、選択アンテナモジュールと選択回路モジュールとが適合する場合に、選択アンテナモジュールと選択回路モジュールとを高周波信号の伝達が可能な静電結合により接続する構成の例を示したが、本発明はこれに限られない。本発明では、選択アンテナモジュールと選択回路モジュールとが適合する場合に、選択アンテナモジュールと選択回路モジュールとを高周波信号の伝達が可能な磁気結合により接続する構成であってもよい。
【符号の説明】
【００９３】
１、２０１、３０１、４０１  携帯機器本体
１ａ  スピーカ（通知部）
１ｂ  圧縮バネ（装着解除部）
２、２０２、３０２  アンテナモジュール
２ｄ  ＲＯＭ（第１記憶部）
３、２０３、３０３  回路モジュール
３ｄ  ＲＯＭ（第２記憶部）
１７  プランジャ（装着解除部）
１８  本体側制御部（通知部）
２１、２２１、３２１、４２１、５２１  選択アンテナモジュール
３１、２３１、３３１、４３１  選択回路モジュール
１００、２００、３００、４００  携帯電話（携帯機器）
２０２ｅ  凸部（第１凹凸部）
２０３ｆ  凸部（第２凹凸部）
３０３ａ  回路側制御部
５０２ｅ  導体端子
【図１】
2011029944.tif 000003
【図２】
2011029944.tif 000004
【図３】
2011029944.tif 000005
【図４】
2011029944.tif 000006
【図５】
2011029944.tif 000007
【図６】
2011029944.tif 000008
【図７】
2011029944.tif 000009
【図８】
2011029944.tif 000010
【図９】
2011029944.tif 000011
【図１０】
2011029944.tif 000012
【図１１】
2011029944.tif 000013
【図１２】
2011029944.tif 000014
【図１３】
2011029944.tif 000015
【図１４】
2011029944.tif 000016
【図１５】
2011029944.tif 000017